(57)【特許請求の範囲】
【請求項１】
ネットワーク上の画像信号源から複数の画像信号を入力して画像表示部に画像を表示する画像表示装置において、
前記画像信号源から入力された入力画像信号に付随した識別信号を取得する入力信号・識別信号取得部と、
前記画像信号源から入力された入力画像信号に付随した属性信号を取得し又は前記画像信号源から入力された入力画像信号を画像・音声受信部で受信して得られた画像情報から属性信号を演算により抽出する入力信号属性取得部と、
前記画像表示部におけるユーザにより設定された表示領域設定情報を記憶する表示領域設定記憶部と、
前記画像信号源から入力された複数の前記画像信号が、複数の表示チャンネルに分類され、複数のウインドウに割り当てられるように、前記表示領域設定情報、前記識別信号及び前記属性信号とを用いて前記画像信号を画像表示領域に座標変換するための画像変換情報を作成する画像変換情報作成部と、
前記画像変換情報に従って、前記表示チャンネル毎に、画像信号源あるいは信号自体の識別信号や信号属性に応じて分類して集められた画像が表示される画像表示部と、
を有することを特徴とする画像表示装置。
【請求項２】
前記識別信号は、画像信号源や信号源の使用者に対して与えた通信アドレス、識別番号（ＩＤ）、画像信号自身に与えられた通信アドレス又は識別番号（ＩＤ）であり、画像信号の送出先を表示装置やネットワーク上の画像受信装置に通知する信号であることを特徴とする請求項１記載の画像表示装置。
【請求項３】
前記属性信号は、伝送方式、画像フォーマット形式、画像の解像度、画像の大きさ、画像の更新情報又は信号源情報に係わる信号であることを特徴とする請求項１又は２記載の画像表示装置。
【請求項４】
ネットワーク上の画像信号源から複数の画像信号を入力して画像表示部に画像を表示する画像表示装置の表示制御方法において、
前記画像信号源から入力された入力画像信号に付随した識別信号を取得する入力信号・識別信号取得ステップと、
前記画像信号源から入力された入力画像信号に付随した属性信号を取得し又は前記画像信号源から入力された入力画像信号を画像・音声受信部で受信して得られた画像情報から属性信号を演算により抽出する入力信号属性取得ステップと、
前記画像表示部におけるユーザにより設定された表示領域設定情報を記憶する表示領域設定記憶ステップと、
前記画像信号源から入力された複数の前記画像信号が、複数の表示チャンネルに分類され、複数のウインドウに割り当てられるように、前記表示領域設定情報、前記識別信号及び前記属性信号とを用いて前記画像信号を画像表示領域に座標変換するための画像変換情報を作成する画像変換情報作成ステップと、
前記画像変換情報に従って、前記表示チャンネル毎に、画像信号源あるいは信号自体の識別信号や信号属性に応じて分類して集められた画像が表示される画像表示ステップと、
を有することを特徴とする画像表示装置の表示制御方法。
【発明の詳細な説明】
【０００１】
【発明の属する技術分野】
本発明は、画像表示装置及び画像表示装置の表示制御方法に関する。
【０００２】
【従来の技術】
従来、通信技術の発達により、オフィスでのネットワーク化が進み、ＰＣを中心に様々な機器が相互に接続され、機能の共有化が実現されるようになった。近年では、ＨＡＶｉやＪｉｎｉ規格に代表されるような、ＩＥＥＥ１３９４やＵＳＢあるいは無線インターフェースを用いた機器間の通信の規格化により家庭内のあらゆる機器に対してもネットワーク化の基礎ができ上がりつつある。
【０００３】
一方、以前ではＴＶセットやパーソナルコンピュータ（ＰＣ）のディスプレイ装置は、全く別物であったが、相互の融合化が進み、ＰＣの画像を表示できるＴＶやＴＶ信号を入力できるＰＣのディスプレイ装置が現れてきた。
【０００４】
さらに、ワイド対応のテレビやプラズマディスプレイ、リア型プロジェクションＴＶや投射型のプロジェクタなどの大画面の表示装置では、映画、ＴＶ、ホームビデオ、プレゼンテーション、ＴＶ会議、各種資料の表示など、さまざまな映像ソースをオフィスや家庭で利用する場面が増加している。このような中で、ディスプレイ装置には、１つの画面内に複数の異なる画像信号源の画像を画面内に分割して表示するマルチ画面表示機能が要求されている。
【０００５】
図２５は従来の一般的なディスプレイ装置としてのパーソナルコンピュータ用のディスプレイ装置の構成を示すブロック図である。図において、８０１は画像信号源としてのＰＣである。８１５は表示装置としてのＰＣ用のディスプレイ装置である。ここでは、デジタルデータとして画像信号を伝送するディスプレイ装置が示されている。
【０００６】
画像信号源８０１において、８０２はＣＰＵ（中央演算装置）である。８０３はこのＣＰＵ８０２の制御信号を各部に伝えると共に、全体のデータバスおよび制御バスを制御するバスコントロール部である。８１１ａは各部を接続するデータバスおよび制御バスからなるシステムバス配線である。８１１ｂはＣＰＵ８０２およびバスコントロール部８０３間のバス配線である。
【０００７】
８０４はこのＰＣ８０１のメインメモリである。８０５はハードディスクなどの記録媒体である。８０６はディスプレイ用の画像信号を作成するグラフィック描画部であり、ここで、ディスプレイへの出力画像属性（解像度、画素周波数、画面の更新周波数、ガンマ特性、階調数、色特性など）に合わせた出力を行う。
【０００８】
８０７はグラフィック描画部８０６の画像処理時に用いられる画像メモリである。８１１ｅはグラフィック描画部８０６および画像メモリ８０７間のデータバスおよび制御バスである。８０８はグラフィック描画部８０６で作成された画像信号をディスプレイ装置８１５に伝送するための画像送信部である。画像送信部８０８は、具体的に、ディスプレイの規格化団体ＤＤＷＧ（Ｄｉｇｉｔａｌ  Ｄｉｓｐｌａｙ  Ｗｏｒｋｉｎｇ  Ｇｒｏｕｐ）が策定したＤＶＩ（ｄｅｇｉｔａｌ  ｖｉｄｅｏ  ｉｎｔｅｒｆａｃｅ）規格などを採用したＴＭＤＳ規格の送信素子や、ＩＥＥＥ１３９４の送信素子などの伝送素子、ＭＰＥＧ画像を圧縮したり、部分書き変え信号を作成するエンコード素子などで構成される。
【０００９】
８１０はディスプレイ装置およびＰＣ間で通信を行うＤＤＣ通信部である。ここで、ディスプレイ装置およびＰＣ間での通信に関しては、ＤＤＣ（Ｄｉｓｐｌａｙ  Ｄａｔａ  Ｃｈａｎｎｅｌ）という標準が知られている。ＤＤＣとは、ディスプレイ関連の標準化団体であるＶＥＳＡ（Ｖｉｄｅｏ・Ｅｌｅｃｔｒｏｎｉｃ・Ｓｔａｎｄａｒｄ・Ａｓｓｏｃｉａｔｉｏｎ）が勧告した、コンピュータが表示装置を認識および制御するためのやりとりの標準である。この通信方法に則って、同じくＶＥＳＡが標準化したＥＤＩＤ（Ｅｘｔｅｎｄｅｄ  Ｄｉｓｐｌａｙ  Ｉｄｅｎｔｉｆｉｃａｔｉｏｎ  Ｄａｔａ）形式のディスプレイの表示属性情報がディスプレイ側からＰＣ側に伝送される。これについては、Ｅｘｔｅｎｄｅｄ  Ｄｉｓｐｌａｙ  Ｉｄｅｎｔｉｆｉｃａｔｉｏｎ  Ｄａｔａ  Ｓｔａｎｄａｒｄ  ｖｅｒｓｉｏｎ３（Ｒｅｖｉｓｉｏｎ  Ｄａｔｅ  Ｎｏｖｅｍｂｅｒ  １３，１９９７）として標準書が発行されている。
【００１０】
８１１ｃはＤＤＣ通信部８１０からの信号をグラフィック描画部８０６に伝送するための配線群である。ＤＤＣ通信部８１０はＣＰＵ８０２によって制御される。
【００１１】
ディスプレイ装置８１５において、８１７はディスプレイ装置８１５を制御するマイコン部である。８２５ａはこのマイコン部８１７からの制御バスおよびデータバスからなる配線群である。８１８は画像送信部８０８から伝送されたＴＭＤＳ規格等の画像信号を受信し、ＲＧＢ各色８ビットなどの信号処理に適したフォーマットに変換する画像受信部である。
【００１２】
８１９はＰＣ８０１からの画像の画素数をディスプレイ装置８１５の表示画素数に合わせるために、解像度変換や画面更新周波数の変換を行う解像度変換部である。８２０は画像メモリである。８２５ｅは解像度変換部８１９および画像メモリ８２０間のデータバスおよび制御バスである。８２１は画像表示部８２２に用いられる液晶やＣＲＴなどの特性に合わせてガンマ特性や色特性などを変換したり、オンスクリーンディスプレイなどの文字表示を行う画像表示用処理部である。８２２は液晶、ＣＲＴ、ＰＤＰ、ＥＬ、ＬＥＤなどの素子で構成される画像表示部である。
【００１３】
８２４はＤＤＣ通信を行うＤＤＣ通信部である。８２５ｂ〜８２５ｄは画像データバスである。また、マイコン部８１７には、一部機能として実現される解像度判別部８２３が設けられている。８０９ａ、８０９ｂはこの解像度判別に関する制御信号の流れである。８１４ａおよび８１４ｂはＰＣ８０１およびディスプレイ装置８１５間を接続する配線であり、８１４ａは画像信号の配線、８１４ｂはＤＤＣ通信の配線である。通常、配線８１４ａおよび８１４ｂは１つの画像専用ケーブルにまとめられる。
【００１４】
このように、従来のＰＣ用のディスプレイ装置は、基本的に画像を出力するＰＣと１対１で接続されていた。表示画面の表示領域は、次のように決定される。ＰＣ８０１の起動時、あるいはＰＣ８０１とディスプレイ装置８１５の接続検出時、ＤＤＣ通信によりディスプレイの表示属性であるＥＤＩＤデータをディスプレイ装置のＤＤＣ通信部８２４からホスト側のＰＣのＤＤＣ通信部８１０に伝える。
【００１５】
ＥＤＩＤデータには、ディスプレイが表示可能な解像度などの表示属性のリストが記述されている。ＰＣ８０１はこのＥＤＩＤデータをＣＰＵ８０２で読み取り、出力画像の解像度をリストから選択してグラフィック描画部８０６に設定し、その画像を画像送信部８０８で送信する。
【００１６】
ディスプレイ装置８１５は、画像受信部８１８で受信した画像信号の解像度を解像度判別部８２３で判別し、入力解像度が表示領域に適していない場合、解像度変換部８１９を制御して解像度の変換を行い、画面の物理的な画素数に一致させる。その後、画像表示用処理部８２１でガンマ補正、色特性、輝度調整などの画像処理を行い、画像表示部８２２で表示を行う。
【００１７】
図２６は現在策定が進められているＨＡＶｉやＪｉｎｉといった家庭内の機器間の通信規格における各機器間の接続形態を示す図である。図において、９０１および９１３はデジタル放送の受信可能なデジタルテレビ（ＤＴＶ＿Ａ，ＤＴＶ＿Ｂ）である。デジタルテレビ９０１はセットトップボックス９０２を介してＩＥＥＥ１３９４などのネットワークに接続され、セットトップボックス９０２とはＤ端子などの画像専用のケーブル９１９で接続される。
【００１８】
また、デジタルテレビ９１３はＩＥＥＥ１３９４デコーダを内蔵しているので、直接、ネットワークに接続される。９０４はＰＣ（ＰＣ＿Ａ）である。９０３はそのディスプレイ装置（ＰＣ  Ｄｉｓｐｌａｙ＿Ａ）である。９１８ａは専用画像ケーブルである。同様に、９１０はＰＣ（ＰＣ＿Ｂ）である。９０９はそのディスプレイ装置（ＰＣＤｉｓｐｌａｙ＿Ｂ）である。９１８ｂはその専用画像ケーブルである。ここで、ＰＣ（ＰＣ＿Ａ）９０４およびＰＣ（ＰＣ＿Ｂ）９１０はＩＥＥＥ１３９４に接続される。ＩＥＥＥ１３９４はディスプレイ装置への画像信号ではなく、その他の信号の伝送に使用される。
【００１９】
その他、９０５は別系統のデジタルテレビのチューナ（ＤＴＶ  ＴＵＮＥＲ）である。９０６はデジタルビデオ（ＤＶ）である。９１１はＤＶＤディスクプレーヤ（ＤＶＤ）である。９１２は番組録画のためのハードディスクからなるサーバ（ＨＤＤ）である。これらのＡＶ機器はＩＥＥＥ１３９４で接続されており、相互に接続して画像信号をやり取りする。
【００２０】
９１４は公衆網９１５に接続されるモデム（ｍｏｄｅｍ）である。９１６は公衆網に接続される電話回線などである。９０７および９０８はＩＥＥＥ１３９４信号を分岐して接続するためのハブである。９１７ａ〜９１７ｊはＩＥＥＥ１３９４規格の通信線である。
【００２１】
このように接続された家庭内ネットワークにおいて、デジタルテレビ９０１、９１３を用い、様々なソース（ＤＴＶ  ＴＵＮＥＲ、ＤＶ、ＤＶＤ、ＨＤＤ）をユーザが離れた場所から使用可能な環境を実現できる。
【００２２】
こうした家庭用のネットワーク化の動きは、ＡＶ機器に限らず家庭内の全ての機器に対して進んでおり、例えば、白物家電とよばれる冷蔵庫、洗濯機、電子レンジ、エアコン、パソコン周辺機器（ＦＡＸ、プリンタ、デジカメ等）、携帯端末等も視野に置かれている。
【００２３】
こうした動きの中で、これらの機器から出力される画像情報をネットワーク上で直接、やり取りしてディスプレイ上にマルチ表示を行うことが考えられる。
【００２４】
現在、ＡＶ機器からのデジタルチューナやＤＶＤの映像信号をネットワーク経由でディスプレイ装置に表示することが中心であるが、将来的には白物家電の制御画像等も同じディスプレイ装置上に表示してコントロールすることや、パソコン周辺機器からのアプリケーション画像を直接、ディスプレイ装置に伝送して表示を行うことが行われると予想される。
【００２５】
最近では、携帯電話のカラー表示化、多機能化、ＰＤＡ（パーソナルデータアシスタント）と呼ばれる携帯型の情報端末の高性能化に伴い、こうした携帯端末がインターネットやＰＣとの間で通信を経由して画像を取得する機会が増えている。将来的には、これらの携帯端末の画像もネットワーク経由で直接、ディスプレイ装置に伝送して表示を行うことにより、携帯端末の家庭内やオフィス内での用途も飛躍的に広がると考えられる。
【００２６】
【発明が解決しようとする課題】
しかしながら、現在のＰＣ用ディスプレイ装置は、ＰＣと専用ケーブルで１対１に接続され、表示画面解像度（画素数）に対する入力信号の解像度（画素数）の比率を基に、解像度変換して全画面表示する構成になっているので、異なる複数の機器からの画像を同一表示装置上に混在して表示する場合を想定していない。
【００２７】
また、ＡＶ機器では、複数の画像をマルチ画面で表示する機能を有したＴＶが知られているが、これらは全てＤＶＤ、ビデオカメラ、ＴＶチューナなどのＶｉｄｅｏ系の画像であり、Ｖｉｄｅｏ系以外の異なる表示フォーマットや、表示用途を持った複数の機器からの画像を同一表示装置上に混在して表示する場合を想定していない。
【００２８】
このため、多種多様な画像信号源の画像（例えば、デジタルカメラ、ＰＤＡ、携帯電話からの画像信号や制御画像、白物家電の制御画像など）を整理して表示することができなかった。
【００２９】
また、ネットワーク独特の多対一や多対多の接続において、新規の画像入力や同一信号源からの信号属性の変化に柔軟に対応できないという問題があった。
【００３０】
例えば、１つのＰＣ上でそれぞれのアプリケーション画像（例えば、ＴＶ電話の画像、ネットワークを介した文字通信（チャット）、デジタルカメラの画像表示など）に適したウインドウの領域をユーザが設定することは可能であるが、こうしたアプリケーションに対して表示属性を設定する方式では、新しい入力を接続して表示する場合、その都度、自分でウインドウの領域を画面上に設定しなくてはならない。
【００３１】
また、一旦設定した場合、その信号源の出力が変化しても、同じ設定で表示し続けてしまう。
【００３２】
さらに、セットトップボックス（ＳＥＴＴＯＰＢＯＸ）や多画面ＴＶのように、入力系統やチャンネル毎に適したウインドウの表示領域を設定する方法も知られているが、こうした表示装置の入力系統やチャンネルに対して表示属性を設定する方式でも、同じ入力系統やチャンネルに新しい画像入力や信号源の出力の変化がある場合には対応できず、絶えずユーザ設定を必要としていた。
【００３３】
そこで、本発明は、見やすくかつ用途に応じて表示を分類する、機能的な画像表示装置及び画像表示装置の表示制御方法を提供することを目的とする。
【００３４】
また、本発明は、ネットワーク独特の多対１や多対多の接続における新規の画像入力や同一信号源からの信号属性の変化にも柔軟に対応でき、ユーザが扱いやすいネットワーク型の表示装置を実現できる画像表示装置及び画像表示装置の表示制御方法を提供することを他の目的とする。
【００３５】
【課題を解決するための手段】
上記目的を達成するために、本発明の画像表示装置は、ネットワーク上の画像信号源から複数の画像信号を入力して画像表示部に画像を表示する画像表示装置において、前記画像信号源から入力された入力画像信号に付随した識別信号を取得する入力信号・識別信号取得部と、前記画像信号源から入力された入力画像信号に付随した属性信号を取得し又は前記画像信号源から入力された入力画像信号を画像・音声受信部で受信して得られた画像情報から属性信号を演算により抽出する入力信号属性取得部と、前記画像表示部におけるユーザにより設定された表示領域設定情報を記憶する表示領域設定記憶部と、前記画像信号源から入力された複数の前記画像信号が、複数の表示チャンネルに分類され、複数のウインドウに割り当てられるように、前記表示領域設定情報、前記識別信号及び前記属性信号とを用いて前記画像信号を画像表示領域に座標変換するための画像変換情報を作成する画像変換情報作成部と、前記画像変換情報に従って、前記表示チャンネル毎に、画像信号源あるいは信号自体の識別信号や信号属性に応じて分類して集められた画像が表示される画像表示部と、を有することを特徴とする。
【００３６】
上記目的を達成するために、本発明の画像表示装置の表示制御方法は、ネットワーク上の画像信号源から複数の画像信号を入力して画像表示部に画像を表示する画像表示装置の表示制御方法において、前記画像信号源から入力された入力画像信号に付随した識別信号を取得する入力信号・識別信号取得ステップと、前記画像信号源から入力された入力画像信号に付随した属性信号を取得し又は前記画像信号源から入力された入力画像信号を画像・音声受信部で受信して得られた画像情報から属性信号を演算により抽出する入力信号属性取得ステップと、前記画像表示部におけるユーザにより設定された表示領域設定情報を記憶する表示領域設定記憶ステップと、前記画像信号源から入力された複数の前記画像信号が、複数の表示チャンネルに分類され、複数のウインドウに割り当てられるように、前記表示領域設定情報、前記識別信号及び前記属性信号とを用いて前記画像信号を画像表示領域に座標変換するための画像変換情報を作成する画像変換情報作成ステップと、前記画像変換情報に従って、前記表示チャンネル毎に、画像信号源あるいは信号自体の識別信号や信号属性に応じて分類して集められた画像が表示される画像表示ステップと、を有することを特徴とする。
【００３７】
【発明の実施の形態】
本発明の画像表示装置及び画像表示装置の表示制御方法の実施の形態を図面を参照して説明する。
【００３８】
［第１の実施形態］
図１は複数台の画像信号源に接続されたディスプレイ装置の構成を示すブロック図である。図２は画像信号源の構成を示すブロック図である。ここでは、説明を簡単にするため、ネットワークに接続された複数の機器のうち、３台の機器の構成だけを示す。
【００３９】
図において、１ａ、１ｂは２台の画像信号源１、２としてのパーソナルコンピュータ（ＰＣ）、ＤＶＤ、デジタルテレビ用チューナ、携帯機器などの画像を出力する装置、あるいはエアコン、給湯器、電子レンジ、冷蔵庫などの白物家電の制御画像を出力する装置などであり、これらの構成の一例を示している。
【００４０】
一方、３０は画像表示装置（ディスプレイ装置）である。本実施形態では、デジタル信号により画像信号および音声信号を受信するディスプレイ装置が使用される。
【００４１】
図２において、符号Ｘａ（Ｘ＝２，３・・・）の添字ａは、画像信号源１ａの各部であることを示しており，  符号Ｘｂ（Ｘ＝２，３・・・）の添字ｂは、画像信号源１ｂの各部であることを示している。
【００４２】
画像信号源１ａ、１ｂにおいて、２ａ、２ｂはＣＰＵ（中央演算装置）である。３ａ、３ｂはＣＰＵ２ａ、２ｂの制御信号を各部に伝えると共に、全体のデータバスおよび制御バスを制御するバスコントロール部である。２０ａ、２０ｂは各部を接続するデータバスおよび制御バスからなるシステムバス配線である。
【００４３】
２１ａ、２１ｂはそれぞれＣＰＵ２ａおよびバスコントロール部３ａ間、ＣＰＵ２ｂおよびバスコントロール部３ｂ間のバス配線である。４ａ、４ｂは各ＰＣのメインメモリである。５ａ、５ｂはハードディスクなどの記録媒体である。
【００４４】
６ａ、６ｂはディスプレイ用の画像信号を作成するグラフィック描画部であり、ディスプレイへの出力画像属性（解像度、画素周波数、画面の更新周波数、ガンマ特性、階調数、色特性など）に合わせた出力を行う。７ａ、７ｂはグラフィック描画部６ａ、６ｂの画像処理時に用いられる画像メモリである。２２ａはグラフィック描画部６ａと画像メモリ７ａ間のデータバスおよび制御バスであり、２２ｂは、グラフィック描画部６ｂと画像メモリ７ｂ間のデータバスおよび制御バスである。
【００４５】
２３はＰＣ１ａ、１ｂおよびディスプレイ装置３０間の画像信号および音声信号の伝送線路である。２４はＰＣ１ａ、１ｂおよびディスプレイ装置３０間のＤＤＣ通信などの通信信号の伝送線路である。１０ａ、１０ｂは通信部であり、ＥＤＩＤ情報などの画像属性情報やエラー信号などとともに、ディスプレイ装置３０からの情報量制御信号を受信する。１１ａ、１１ｂはＥＤＩＤ情報記憶部であり、取得したディスプレイ装置３０の表示属性情報としてのＥＤＩＤ情報を格納する。
【００４６】
８ａ、８ｂは、送出する画像信号および音声信号に識別信号を付加する識別信号付加部である。ここで、識別信号は、画像信号源や信号源の使用者に対して与えた通信アドレスや識別番号（ＩＤ）、あるいは画像信号自身に与えられた通信アドレスや識別番号（ＩＤ）などであり、画像信号の送出先を表示装置やネットワーク上の画像受信装置に通知する信号である。
【００４７】
９ａ、９ｂは、グラフィック描画部６ａ、６ｂで作成された画像信号、および音源部で作成された音声信号をディスプレイ装置３０に伝送する画像・音声送信部であり、グラフィック描画部からの画像信号（たとえばＲＧＢ各８ビット、計２４ビットの信号）をＴＭＤＳ信号やＩＥＥＥ１３９４信号などの有線、あるいは無線の通信伝送方式に変換して通信する。また、画像・音声送信部９ａ、９ｂは、画像や音声情報をＭＰＥＧ信号、ＪＰＥＧ信号等の圧縮信号や部分書き換え信号、あるいはＨＴＭＬ形式やＸＭＬ形式などの異なる形式の信号に変換する機能を有する場合もある。
【００４８】
１２ａ、１２ｂは画像制御部であり、ディスプレイ装置３０から受信したＥＤＩＤ情報を受け、グラフィック描画部６ａ、６ｂを制御する。１３ａ、１３ｂは画像属性情報作成部であり、送信する画像の画像属性情報を作成する。ここで、画像属性情報とは、伝送方式、画像フォーマット形式、画像の解像度、画像の大きさ、画像の更新情報、信号源情報などである。尚、画像制御部１２ａ、１２ｂ、画像属性作成部１３ａ、１３ｂは、ＣＰＵ内部の処理によって実現される機能を表す。
【００４９】
２９ａ、２９ｂは通信部１０ａ、１０ｂからＥＤＩＤ情報記憶部１１ａ、１１ｂへのＥＤＩＤ情報の流れを示す。２５ａ、２５ｂは画像制御部１２ａ、１２ｂからグラフィック描画部６ａ、６ｂへの制御信号の流れを示す。２７ａ、２７ｂは画像制御部１２ａ、１２ｂから画像属性作成部１３ａ、１３ｂへの画像制御内容の情報の流れを示す。２６ａ、２６ｂはグラフィック描画部６ａ、６ｂから画像・音声送信部９ａ、９ｂへの画像・音声情報の流れを示す。
【００５０】
２８ａ、２８ｂは画像属性作成部１３ａ、１３ｂから画像・音声送信部９ａ、９ｂへの画像属性情報の流れを示している。また、１４ａ、１４ｂが、画像・音声情報とともに送出する識別信号の流れである。
【００５１】
ディスプレイ装置３０において、３１はディスプレイ装置３０を制御するマイコン部３１である。５０はマイコン部３１からの制御バスおよびデータバスからなる配線群である。３２は画像・音声送信部９ａ、９ｂから伝送された画像信号および音声信号を受信するとともに、ＴＭＤＳやＩＥＥＥ１３９４などの伝送形式の信号や、ＭＰＥＧや部分書き換え信号などの圧縮形式の信号をＲＧＢ各８ビット計２４ビットの信号に復号する画像・音声受信部である。また、ＨＴＭＬ形式やＸＭＬ形式の信号を受信して、グラフィック描画命令に展開するためにＣＰＵに対して転送機能を有する場合もある。
【００５２】
３３は入力した複数の画像信号をディスプレイ装置３０の仮想表示領域に配置するための座標変換、解像度変換、およびこれら各画像の合成を行うメモリ制御部である。また、このメモリ制御部において、ＣＰＵの指示にしたがってグラフィック描画も行われる。３４はメモリ制御部３３の信号処理に用いられる画像メモリである。
【００５３】
５１はこの画像メモリ３４のデータバスおよび制御バスからなる配線群である。３５は画像表示部３６に用いられる液晶やＣＲＴなどの特性に合わせて、ガンマ特性や色特性などを変換したり、オンスクリーンディスプレイなどの文字表示を行う画像表示用処理部である。３６は液晶、ＣＲＴ、ＰＤＰ、ＥＬ、ＬＥＤなどの素子で構成される画像表示部である。５２、５３、５４は画像のデータバスである。３７は受信した音声信号をスピーカ３８で再生するための信号に変換したり、増幅を行う音声処理部である。３８がスピーカである。５５は音声処理部３７およびスピーカ３８間の配線である。
【００５４】
４０は通信部であり、ＥＤＩＤ情報などの表示属性情報やエラー信号を画像信号源側に送信する。４３はディスプレイ装置固有の表示属性であるＥＤＩＤ情報を格納するＥＤＩＤ情報格納部である。
【００５５】
３９は表示装置のさまざまな設定を行うために用いられる、本体の操作部、マウス、キーボード、リモコンなどのユーザ入力部である。４７はユーザ入力部３９からユーザによって設定された表示領域設定を記憶する表示領域設定記憶部である。
【００５６】
４４は画像・音声受信部３２で検出した各入力画像信号に付随した識別信号を取得する入力信号・識別信号取得部である。４５は画像・音声受信部３２で検出した各入力画像信号に付随した属性信号を取得する、あるいは画像・音声受信部３２により得られた画像情報から属性信号を演算により抽出する入力信号属性取得部である。４１は入力信号の属性情報を入力信号の識別信号に対して記憶する入力信号属性記憶部である。
【００５７】
４６は表示領域設定情報、映像信号の識別信号および入力信号属性情報を基に、メモリ制御部において複数の入力信号を分類し、適当な画像表示領域に座標変換するための画像変換情報を作成する画像変換情報作成部である。４２は入力信号の識別信号に対してこの画像変換情報を記憶する画像変換情報記憶部である。入力信号・識別信号取得部４４、入力信号属性取得部４５および画像変換情報作成部４６は、マイコン部３１内の処理によって実現される機能を表す。
【００５８】
５６は画像・音声受信部３２で受信した入力信号の流れを示す。５７は検出した入力識別信号の流れを示す。５８は検出あるいは抽出した入力属性信号の流れを示す。５９は入力信号属性記憶部４１から画像変換情報作成部４６への入力属性情報の流れを示す。６０は表示領域設定記憶部４７からの表示領域設定情報の流れを示す。６１は画像変換情報記憶部４２および画像変換情報作成部４６間の画像変換情報の双方向の流れを示す。６２はＥＤＩＤ情報格納部４３から画像変換情報作成部４６へのＥＤＩＤ情報の流れを示す。６３はＥＤＩＤ情報格納部４３から通信部４０へのＥＤＩＤ情報の流れを示す。
【００５９】
２３は画像・音声信号を伝送する伝送線路である。２４は制御信号の伝送線路である。図においては、伝送路２３、２４は別々に示されているが、実際にはＴＭＤＳやＩＥＥＥ１３９４などの信号線を用い、カスケード接続あるいはツリー接続を行った同一のネットワーク通信線路上で同一の送受信部により通信が行われる場合もある。
【００６０】
図３は画像信号源１ａ、１ｂから送信される画像信号の構成を示す図である。図において、Ｈ１は受信先の通信アドレスであり、例えば画像表示装置３０に対して与えられた通信アドレスや識別番号（ＩＤ）、あるいは画像表示装置３０のチャンネルやウインドウ画面に対して与えられた通信アドレスや識別番号（ＩＤ）などである。受信先の通信アドレスＨ１はａバイト、例えば４バイト程度の大きさの信号である。
【００６１】
Ｈ２は送信元の通信アドレスであり、画像信号源に対して与えられた通信アドレスや識別番号（ＩＤ）、あるいは画像信号自身に与えられた通信アドレスや識別番号（ＩＤ）である。送信元の通信アドレスＨ２はｂバイト、例えば４バイト程度の大きさの信号である。前述した画像表示装置３０で検出される入力識別信号は、この部分のデータに相当する。
【００６２】
Ｈ６は画像情報部分であり、画像属性Ｈ３および画像データＨ４から構成される。画像属性Ｈ３は画像信号の属性情報部分であり、画像データＨ４は画像データ部分である。入力画像の属性情報は、画像属性Ｈ３に記述された内容を読み取ったものや、あるいは画像データＨ４から演算等により抽出された情報として得られる。本実施形態では、画像属性はｃバイト、画像データＨ４はｄバイトの大きさであるが、実際のデータ量は画像の種類や、伝送方式、圧縮方式により大きく異なる。
【００６３】
Ｈ５はデータの終了などを示す部分、例えばチェックサム部分であり、ｅバイト、実際は１バイト程度の大きさである。
【００６４】
図４〜図１０に画像表示装置３０の表示例を示す。本実施例では、簡単化のため、図２に２台の信号源を示しているが、実際にはネットワーク上に以下に説明する５台の画像信号源が接続されていると仮定している。
【００６５】
図４は画像表示装置３０の表示画面を示す図である。Ｆ１はＱＸＧＡ（２０４８ｘ１５３６画素）の画素数を有する画像表示装置３０の表示領域全体を示す。この画像表示装置３０は、複数の表示チャンネルおよび複数の表示ウインドウをメモリ上に仮想設定可能であり、これらを組み合わせて、物理的な表示領域である２０４８ｘ１５３６の画素の画面表示を行う。
【００６６】
本実施形態では、表示チャンネルを２チャンネルに設定し、各チャンネルの表示ウインドウを４ウインドウ表示可能に設定し、ＰＣおよびＶｉｄｅｏ系の画像をチャンネル１に分類して表示し、一方、白物家電の制御画像をチャンネル２に分類して表示する。
【００６７】
図４は表示チャンネル１の表示例であり、図５〜図７はその説明図である。図５はＰＣ１によって表示されるインターネット画像を示す図である。図中、Ｆ５はＰＣ１の画面を示す。図６はＰＣ２によって表示されるインターネット画像を示す図である。図中、Ｆ６はＰＣ２の画面を示す。図７はデジタルテレビ用のチューナによって表示されるＨＤＴＶ画像を示す図である。図中、Ｆ７はデジタルテレビ用のチューナの画面を示す。
【００６８】
画像表示装置３０に入力されたこれらの画像は、図４の４分割された画面の各領域に座標変換およびＱＸＧＡの１／４の画像サイズに解像度変換（倍率変換）されて表示されている。ここで、前述したように、Ｆ１は表示チャンネル１全体（表示領域全体）を示す。Ｆ２は表示チャンネル１のウインドウ１を示し、Ｆ３は表示チャンネル１のウインドウ２を示し、Ｆ４は表示チャンネル１のウインドウ３を示す。
【００６９】
また、図１０は表示チャンネル２の表示例であり、図８〜図９はその説明図である。図８はエアコンが出力する制御画像を示す図である。図中、Ｆ８は制御画像を示している。図９は給湯器が出力する制御画像を示す図である。図中、Ｆ９は制御画像を示している。
【００７０】
図１０は画像表示装置３０の表示画面を示す図である。これらの制御画像を受信した画像表示装置３０は、４分割された画面の各領域に座標変換およびＱＸＧＡの１／４の画像サイズに解像度変換（倍率変換）された各制御画像を表示する。図中、Ｆ１０は表示チャンネル全体２を示し、Ｆ１１は表示チャンネル２のウインドウ１を示し、Ｆ１２は表示チャンネル２のウインドウ２を示す。
【００７１】
このように、本実施形態の画像表示装置は、表示チャンネル１には、ＰＣの画像、ＴＶチューナ、ＤＶＤ、デジタルビデオ等のＡＶ機器の画像を集め、一方、表示チャンネル２には、家電機器の制御画像を集めるように、画像信号源あるいは信号自体の識別信号や信号属性に応じて、複数の画像信号を自動的に分類して表示することに特徴を有する。
【００７２】
このような機能を持たない画像表示装置の場合、制御画像およびＡＶ機器の画像は混在して表示され、使用しづらいディスプレイ装置となってしまう。また、ユーザが受信した信号毎に表示領域を配置した場合も、ネットワーク上で新規に接続した信号源の信号入力に対しては、ユーザの新規設定が必要になり、煩雑になってしまう。
【００７３】
また、例えば、デジタルテレビチューナでＳＤＴＶモードの信号を４番組受信して、表示チャンネル１で他の３つの番組と同時に４画面分割表示で見ていた時に、番組のひとつがＨＤＴＶモードの信号に切り替わったので、他の表示チャンネルでその番組を１画面で単独に見たい場合のように、画像信号源の画像の属性が受信中に変化して表示すべき表示チャンネルやウインドウなどの表示領域が変わった場合も、ユーザの新規設定が必要になり、煩雑になってしまう。
【００７４】
そこで、本実施形態では、新規入力があった場合や画像の属性が変化した場合などには、画像信号源あるいは信号自体の識別信号や信号属性を取得し、表示領域設定にしたがって画像変換情報を自動作成することにより、こうしたネットワーク上の画像入力に対して柔軟に対処できる画像表示装置を実現する。
【００７５】
図１１は画像表示装置３０における信号入力動作処理手順を示すフローチャートである。この処理プログラムはマイコン部３１内のＲＯＭに格納されており、マイコン部３１内のＣＰＵによって実行される。画像・音声受信部３２に信号が入力すると、入力信号・識別信号取得部４４により入力信号の識別信号を取得する（ステップＳ１）。入力属性信号取得部４５により入力属性情報を取得する（ステップＳ２）。
【００７６】
識別信号が新規であるか否かを判別し（ステップＳ３）、新規である場合、ステップＳ９の処理に移行する。一方、新規でない場合、入力信号属性記憶部４１から入力識別信号に対応した入力信号属性情報を読み出し（ステップＳ４）、入力属性取得部４５で取得した入力属性と比較することにより、入力属性が変化したか否かを判別する（ステップＳ５）。
【００７７】
入力属性が変化した場合、ステップＳ９の処理に移行する。一方、入力属性が変化しない場合、表示領域設定確認ルーチンを行う（ステップＳ６）。画像変換情報記憶部４２から入力識別信号に対応した画像変換情報を読み出す（ステップＳ７）。こうして得られた画像変換情報にしたがって、メモリ制御部３３を制御し、入力信号を表示画像情報に変換処理し（ステップＳ８）、処理を終了する。
【００７８】
一方、ステップＳ３で新規の入力信号の場合、あるいは入力属性が変化した場合、入力信号属性記憶部４１に新しい入力信号属性情報を格納する（ステップＳ９）。そして、表示領域設定確認ルーチンを行う（ステップＳ１０）。
【００７９】
表示領域設定記憶部４７内の表示領域設定情報、およびＥＤＩＤ情報格納部４３内の表示部の表示属性である表示属性情報を合わせた入力属性情報を用いて、画像変換情報を作成する（ステップＳ１１）。
【００８０】
作成した画像変換情報を、入力識別信号と対応させて画像変換情報記憶部４２に格納する（ステップＳ１２）。得られた画像変換情報に従い、メモリ制御部３３を制御して入力信号を表示画像情報に変換処理し（ステップＳ８）、処理を終了する。
【００８１】
図１２はステップＳ６およびＳ１０における表示領域設定確認ルーチンの処理手順を示すフローチャートである。まず、表示領域設定記憶部４７から入力識別信号および入力信号属性情報に対応した表示領域設定を読み出す（ステップＳ２１）。ユーザ入力部３９および画面に表示されるメニュー画面表示を用いて、表示領域設定を変更するか否かを判別する（ステップＳ２２）。
【００８２】
表示領域設定を変更しない場合、画像変換情報により表示領域設定が適当であるか否かを判別し（ステップＳ２３）、適当である場合、処理を終了する。
【００８３】
ここで、表示領域設定記憶部４７には入力識別信号が伝えられるが、入力信号属性記憶部４１や画像変換情報記憶部４２とは異なり、入力識別信号に対して１対１に表示領域設定が記憶されるとは限らない。
【００８４】
例えば、ＰＣのフォーマットと携帯機器のフォーマットの入力信号に対し、それぞれの表示設定値を記憶したり、ＩＥＥＥ１３９４経由の画像入力の場合と無線インターフェース経由の画像入力の場合に対し、それぞれの表示設定値を記憶する。このように、入力識別信号および入力属性信号に応じた場合に分けて設定することにより、既知の入力以外の新規の入力に対しても、画像変換情報を自動的に作成可能である。
【００８５】
一方、ステップＳ２２で表示領域設定を変更する場合、あるいはステップＳ２３で表示領域設定が不適当である場合、ユーザ入力部３９および画面に表示されるメニュー画面表示を用いて、新規に表示領域設定を変更する（ステップＳ２４）。変更された表示領域設定の情報は表示領域設定記憶部４７に格納される（ステップＳ２５）。
【００８６】
図１３は給湯器の制御画像を入力する処理手順を示すフローチャートである。この処理プログラムはマイコン部３１内のＲＯＭに格納されており、マイコン部３１内のＣＰＵによって実行される。この処理プログラムでは、画像信号源２としての給湯器をネットワーク経由で新規に接続し、ＨＴＭＬ形式で送出されるその制御画像を受信し、図１０のように表示する処理を示す。
【００８７】
まず、画像・音声受信部３２に信号が入力すると、識別信号取得部４４により入力信号の識別信号として給湯器の通信アドレス（図３のＨ２参照）を取得する（ステップＳ３１）。
【００８８】
入力信号属性取得部４５により入力属性情報を取得する（ステップＳ３２）。例えば、白物家電制御用の画像フォーマットであり、画像形式がＨＴＭＬ形式であることを画像データに付随する画像属性（図３のＨ３）から読み出して取得する。あるいは、画像データそのものから演算処理により画素数が３２０ｘ２４０画素であることを抽出する。
【００８９】
そして、白物家電制御フォーマットの表示に対応する表示領域設定記憶部４７内の表示領域設定情報を読み出す（ステップＳ３３）。本実施形態の表示領域設定情報では、白物家電の制御画像の入力を表示チャンネル２に分類し、他の制御画像を接続した順にウインドウ１〜４に順次割り当てる。
【００９０】
ＥＤＩＤ情報格納部４３内の表示部の表示属性情報を読み出す（ステップＳ２４）。本実施形態では、ＱＸＧＡ（２０４８ｘ１５３６）の物理表示画素数などの表示属性情報が得られる。
【００９１】
得られた入力識別信号、入力属性情報、表示領域設定情報およびＥＤＩＤ情報を基に、画像変換情報を自動作成する（ステップＳ３５）。
【００９２】
白物家電制御画像フォーマットであるので、表示チャンネルを「２」に設定する。また、この表示チャンネルには、既にエアコンの制御画像がウインドウ１に表示されているので、ウインドウ２に設定する。表示チャンネル２のウインドウ２に対応する仮想表示領域のメモリ上の始点の座標を「１Ｂ００００００ｈ」とすると、入力画像（座標（ｘ、ｙ））は数式［１］で示す座標でメモリに書き込まれる。
メモリ上の変換座標＝ｘ＋３２０ｙ＋１Ｂ００００００ｈ  ……  ［１］
また、入力画像が３２０ｘ２４０画素であるので、ＱＸＧＡの１／４領域の画素数１０２４ｘ７６８に表示するために、メモリ読み出し後のデータに対して数式［２］で示す倍率の拡大および補間処理を行う。こうして、画像変換情報が自動作成される。
【００９３】
拡大倍率＝３．２倍  ……  ［２］
得られた画像変換情報を入力識別信号である給湯器の通信アドレスに対応して画像変換情報記憶部４２に格納する（ステップＳ３６）。画像変換情報にしたがって、メモリ制御部３３を制御し、入力信号を表示画像情報に変換処理し（ステップＳ３７）、処理を終了する。
【００９４】
つぎに、画像変換情報を受けて画像変換を行う画像変換部の例として、表示領域を制御するメモリ制御部の構成を示す。図１４はメモリ制御部の構成を示す図である。
【００９５】
図において、８１はメモリ制御部３３に相当するメモリ制御部である。８２は画像メモリ３４に相当するメモリ部である。８３はアドレスデコーダである。８７は水平同期信号の入力線である。８８は垂直同期信号の入力線である。８６はクロック信号の入力線である。９１はアドレスデコーダ８３から出力されるメモリ制御線群である。９０はアドレスデコーダ８３から出力されるデータスイッチ部の制御線である。
【００９６】
８９は配線群５１に相当する入力データバスである。８４はデータスイッチ部である。９２はメモリ部８２およびメモリ制御部８１間のデータバスである。９５は画像データの拡大・縮小変換に伴う補間処理を行う画像（拡大・縮小補間）演算部である。９３はデータスイッチ部８４および画像演算部８５間のデータバスである。９４は配線群５３に相当するメモリ制御部からの出力データバスである。９５は制御線６４に相当する画像変換情報作成部４６からの画像変換情報の制御線である。
【００９７】
入力したクロック８６は水平同期信号８７および垂直同期信号８８を基準に、画像変換情報９５にしたがってメモリ制御用の書き込みアドレス信号および読み出しアドレス信号にデコードされてメモリ制御線群９１に出力される。
【００９８】
同時に、スイッチ制御信号９０もデコードして書き込みアドレス信号および読み出しアドレス信号に応じて、メモリ部８２およびメモリ制御部８１間のデータバス９２上のデータを、入力データバス８９からメモリ部８２への書きこみデータと、メモリ部８２から画像演算部８５への読み出しデータとに切り替える。
【００９９】
図１０では、メモリ部８２への書きこみは［１］式の座標に書きこむように、書きこみアドレスが制御される。さらに、読み出された信号に対し、画像演算部８５で画像データの拡大・縮小変換に伴う補間処理が行われる。図１０では、［２］式の倍率に応じて倍率および補間係数が選択され、演算により出力信号が生成される。
【０１００】
図１５はメモリ部８２の仮想表示領域に対するメモリマップを示す図である。全メモリ領域Ｋ９には、ＱＸＧＡ（２０４８ｘ１５３６）画素でＲＧＢ各３色８ビットのデータが８面分確保されている。このうち、Ｋ１〜Ｋ４は表示チャンネル１のウインドウ１〜４の記憶領域である。各座標は、それぞれ０００００００ｈ〜４７ｆｆｆｆｆｈ、４８０００００ｈ〜８ｆｆｆｆｆｆｈ、９００００００ｈ〜Ｄ７ｆｆｆｆｆｈ、Ｄ８０００００ｈ〜１１ｆｆｆｆｆｆｈである。また、Ｋ５〜Ｋ８は表示チャンネル２のウインドウ１〜４の記憶領域である。各座標は、それぞれ１２００００００ｈ〜１Ａｆｆｆｆｆｆｈ、１Ｂ００００００ｈ〜２３ｆｆｆｆｆｆｆｈ、２４００００００ｈ〜３５ｆｆｆｆｆｆｈ、３６００００００ｈ〜４７ｆｆｆｆｆｆｈである。
【０１０１】
図１６は図４および図１０に示した表示装置上の多画面画像を実現するための各情報、つまり入力信号毎の入力識別信号、入力属性情報、表示領域設定、表示部属性、画像変換情報を示すテーブルである。入力は、前述したように、ＰＣ１およびＰＣ２からなる２台のＰＣ、ＨＤＴＶ用のチューナ、白物家電としてのエアコンおよび給湯器の制御画像である。
【０１０２】
入力信号の識別信号として、ＰＣ１、エアコンおよび給湯器では各機器に与えられた通信アドレスであり、ＰＣ２では、ＰＣ２から出力する信号自体に与えられた識別番号（ＩＤ）である。また、チューナでは、チューナの出力チャンネルに通信アドレスが与えられており、チューナ本体とチャンネルまで識別可能である。
【０１０３】
識別信号としては、信号源やそのチャンネル、あるいは信号自体に与えられた識別番号や通信アドレスの他にも、ＨＤＴＶ（１９２０ｘ１０８０）とＳＤＴＶ（７２０ｘ４８０）のように、出力モード毎に識別番号（ＩＤ）、通信アドレスを割り振ったり、ウインドウなどの画面の一部の領域毎に識別番号（ＩＤ）、通信アドレスを割り振ることが考えられる。また、使用者に与えられた識別番号や通信アドレスなど、信号の発信元を特定できるものであればよく、特に限定されない。
【０１０４】
入力属性としては、各信号に対応した画像フォーマットや伝送フォーマットの他、解像度などが取得される。ここでは、ＰＣフォーマット、ＴＶフォーマットおよび白物家電制御フォーマットが表示チャンネル１、２を分類する情報として利用される。他にも、画像の大きさ、文字のドット数、画像の更新周波数、圧縮率、色特性、階調特性（ガンマ特性）、アスペクト比などが取得され、これらにより表示領域を分類して表示することも考えられる。
【０１０５】
また、表示領域設定は、ＰＣフォーマットに対して表示チャンネル１に分類され、このうちＰＣ１の識別信号に対してはウインドウ１に配置される。他のＰＣに対しては、直接、入力識別信号に対して表示ウインドウを設定せず、新規の入力に対しても、柔軟に画像変換情報の自動作成を可能にする。例えば、ＰＣ１の識別信号以外のＰＣフォーマットの信号に対しては、表示チャンネル１のウインドウ２が指定される。
【０１０６】
また、ＴＶフォーマットに対しては、表示チャンネル１に分類され、チューナ本体のアドレスに対しては、表示ウインドウ３および４が指定される。チューナの各チャンネルの表示を、このウインドウ３、４に順次割り当てる設定となっている。
【０１０７】
また、白物家電制御画像のフォーマットに対しては、他の入力と異なり、表示領域を表示チャンネル２に指定する。さらに、接続順にウインドウを割り当てる設定となっている。
【０１０８】
このように、新規の信号源の接続や従来の機器からの信号の入力属性の変化があった場合も、これらの表示領域設定にしたがって、画像変換情報が自動作成される。
【０１０９】
表示部属性については、表示部によって決まるので、信号源によらない。表示部属性としては、解像度、画面サイズ以外にも、表示部の画面更新周波数、色特性、階調特性（ガンマ特性）、アスペクト比などがある。
【０１１０】
上記の各情報にしたがって、作成される画像変換情報は以下のようになる。ＰＣ１は、ＰＣフォーマットで表示領域１に分類され、ＰＣ１の識別信号に対して、ウインドウ１に配置される。ＰＣ２は、ＰＣ１の識別信号以外の信号であるので、表示チャンネル１のウインドウ２に表示される。
【０１１１】
また、チューナはＴＶフォーマットであるので、表示チャンネル１に分類され、チューナ本体のアドレスを基に表示ウインドウ３および４が指定される。チューナの各チャンネルの表示は、このウインドウ３、４に順次割り当てられるので、現在受信中のチャンネルがウインドウ３に表示される。また、エアコンおよび給湯器の制御画像は、表示チャンネル２に設定され、接続順からエアコンがウインドウ１、給湯器がウインドウ２に設定される。
【０１１２】
このように、５つの画像信号源からの画像に対し、１つの画像表示装置で入力信号の属性を基に、画像変換を自動で行い、最適化した多画面表示を行う。
【０１１３】
本実施形態では、さまざまな信号源からの信号が新規入力があった場合、画像の属性が変化した場合など、信号源あるいは信号自体の識別信号や信号属性を取得し、表示領域設定にしたがって画像変換情報を自動作成することにより、こうしたネットワーク上の画像入力に対して柔軟な表示装置が実現される。
【０１１４】
［第２の実施形態］
第２の実施形態では、ＩＥＥＥ１３９４、無線ＩＦなどの複数の伝送系からなるネットワーク上で、ＩＥＥＥ１３９４経由のＰＣからの画像圧縮信号および無線ＩＦ経由のデジタルカメラからのＪＰＥＧ圧縮信号といった異なるフォーマットの信号を、１つのディスプレイ装置に多画面表示する画像処理装置に適用した場合を示す。
【０１１５】
図１７は第２の実施形態のネットワークの構成図を示す図である。図において、１０１および１１３は多画面表示を行うディスプレイ装置である。本実施形態では、ディスプレイ装置１０１はセットトップボックス１０２を介してＩＥＥＥ１３９４などのネットワークに接続され、セットトップボックス１０２とＴＭＤＳ伝送方式などの画像専用のケーブル１１９で接続される。
【０１１６】
一方、ディスプレイ装置１１３は、ＩＥＥＥ１３９４デコーダを内蔵しているので、直接、ネットワークに接続されている。ここで、ディスプレイ装置１０２、１１３はそれぞれ画像処理装置および画像表示装置に相当する。
【０１１７】
また、１０４、１０６はそれぞれＰＣ（ＰＣ１）、（ＰＣ２）である。ＰＣ１０４、１０６の表示は、ネットワークを介してディスプレイ装置１０１、１１３で行われる。
【０１１８】
１０５は別系統のデジタルテレビのチューナ（ＤＴＶ  ＴＵＮＥＲ）である。１０３はＤＶＤディスクプレーヤ（ＤＶＤ）であり、これらのＡＶ機器はＩＥＥＥ１３９４に相互に接続され、画像信号をやり取りする。１１１はエアコンであり、１１２は給湯器である。これらのいわゆる白物家電も、ＩＥＥＥ１３９４に接続されており、その制御画像を表示装置に送り、ネットワーク経由で制御が行われる。
【０１１９】
１１４は公衆網１１５に接続されるモデム（ｍｏｄｅｍ）である。１１６は公衆網に接続される電話回線などである。１０７および１０８はＩＥＥＥ１３９４信号を分岐して接続するためのハブである。１１７ａ〜１１７ｊはＩＥＥＥ１３９４規格の通信線である。
【０１２０】
１０９はＰＤＡ（パーソナルデータアシスタント）、１１０は携帯電話などの携帯機器である。１１８ａおよび１１８ｂはＢｌｕｅｔｏｏｔｈやワイヤレス１３９４などの無線通信規格による無線通信ＩＦである。
【０１２１】
このように接続された家庭内ネットワークでは、ユーザはディスプレイ装置１０１、１１３で様々なソース（ＰＣ１、ＰＣ２、ＤＴＶ  ＴＵＮＥＲ、ＤＶＤ、ＰＤＡ、携帯電話）の画像データや、さまざまな機器の制御画像を、複数の通信形態により離れた場所から使用可能な環境を実現する。尚、ＰＣ１、ＰＣ２のキーボードやマウス、あるいは制御画像の制御部等の操作入力部は図示されていないが、画像と同様ＩＥＥＥ１３９４等を介して、各ディスプレイ装置の近くから操作可能である。
【０１２２】
図１８〜図２１を用いて、第２の実施形態において実現される表示画像を示す。図１８は同じ表示チャンネル１に表示されたＰＣ１、ＰＣ２、ＴＶチューナの画像を示す図である。図において、Ｆ１はＱＸＧＡ（２０４８ｘ１５３６画素）の画素数を有する表示装置の表示チャンネル１全体の画面である。Ｆ２は表示チャンネル１のウインドウ１である。Ｆ３は表示チャンネル１のウインドウ２である。Ｆ４は表示チャンネル１のウインドウ３である。
【０１２３】
ウインドウ１（Ｆ２）には、ＰＣ１の表示画像が表示される。ウインドウ２（Ｆ３）には、ＰＣ２の表示画像が表示される。ウインドウ３（Ｆ４）には、デジタルテレビチューナの画像が表示れる。このデジタルテレビチューナの画像は、ＨＤＴＶの解像度（１９２０ｘ１０８０画素）の映像を７２０ｘ４８０画素に解像度変換したものであり、親画面Ｆ１の１／４領域の範囲内に表示される。
【０１２４】
ＰＣ１、ＰＣ２、デジタルテレビチューナからの入力識別信号およびその入力属性情報を基に、対応する表示設定を読み出して画像変換情報を自動作成し、表示チャンネル１に表示することは前記第１の実施形態と同様である。第２の実施形態では、無線ＩＦを介して２種類の信号が入力される。すなわち、携帯機器であるＰＤＡおよび携帯機器である携帯電話からそれぞれメール画像などの画像信号が無線を介して伝送される。図１９は携帯機器であるＰＤＡを示す図である。図２０は携帯機器である携帯電話を示す図である。
【０１２５】
図において、１３３はＰＤＡ本体である。１３４はＰＤＡの表示画面である。また、１３５は携帯電話本体である。１３６は携帯電話の表示画面である。表示装置は、表示チャンネル３にこれらの携帯機器からの画像を分類して表示する。図２１は表示チャンネル３に表示された表示画面を示す図である。図において、１３７は表示チャンネル３の表示画面全体である。１３８はＰＤＡの画像に対して設定された表示画面（ウインドウ１）である。１３９は携帯電話の画像に対して設定された表示画面（ウインドウ２）である。
【０１２６】
図２２は複数台の画像信号源に接続されたセットトップボックスおよびディスプレイ装置の構成を示すブロック図である。図２３は画像信号源の構成を示すブロック図である。説明を簡単にするために、ＩＥＥＥ１３９４経由の画像信号源であるＰＣ１、ＰＣ２、ＴＶチューナの中から代表してＰＣ２と、無線ＩＦ経由の画像信号源であるＰＤＡ、携帯電話の中から代表してＰＤＡと、これらの画像信号を受けるセットトップボックスと、画像表示装置とから表示制御システムが構成されている場合を示す。
【０１２７】
図において、２０１ａはＰＣ２であり、図１７の１０６に相当する。また、２０１ｂはＰＤＡであり、図１７の１０９に相当する。２１５はネットワークを介した各画像信号源からの画像信号を合成するとともに、ディスプレイ装置２３５の表示出力に変換する画像処理装置としてのセットトップボックスであり、図１７の１０２に相当する。また、２３５はディスプレイ装置であり、図１７の１０１に相当する。
【０１２８】
画像信号源１（２０１ａ）および画像信号源２（２０１ｂ）において、２０２ａ、２０２ｂはＣＰＵ（中央演算装置）である。２０３ａ、２０３ｂはこのＣＰＵ２０２ａ、２０２ｂの制御信号を各部に伝えると共に、全体のデータバス、制御バスを制御するバスコントロール部である。
【０１２９】
１３１ａ、１３１ｂは各部を接続するデータバスおよび制御バスからなるシステムバス配線である。１３２ａ、１３２ｂはそれぞれＣＰＵ２０２ａおよびバスコントロール部２０３ａ間、ＣＰＵ２０２ｂおよびバスコントロール部２０３ｂ間のバス配線である。
【０１３０】
２０４ａ、２０４ｂは各画像信号源のメインメモリである。２０５ａ、２０５ｂはハードディスクやフラッシュメモリなどの記録媒体である。２０６ａ、２０６ｂはディスプレイ用の画像信号を作成するグラフィック描画部である。ディスプレイ装置への出力画像属性（解像度、画素周波数、画面の更新周波数、ガンマ特性、階調数、色特性など）に合わせた出力が行われる。
【０１３１】
２０７ａ、２０７ｂはグラフィック描画部２０６ａ、２０６ｂの画像処理時に用いられる画像メモリである。１３３ａ、１３３ｂはグラフィック描画部２０６ａ、２０６ｂおよび画像メモリ２０７ａ、２０７ｂ間のデータバスおよび制御バスである。
【０１３２】
２０８ａ、２０８ｂは、グラフィック描画部２０６ａ、２０６ｂで作成された画像信号を、ディスプレイに伝送するための部分書き換え信号や圧縮信号に変換圧縮するための画像エンコード部である。１３７ａ、１３７ｂは、グラフィック描画部２０６ａ、２０６ｂおよび画像エンコード部２０８ａ、２０８ｂ間のデータバスである。２０９ａは圧縮した信号をＩＥＥＥ１３９４信号に変換して通信するＩＥＥＥ１３９４通信部である。２０９ｂは圧縮した信号を無線通信用信号に変換して通信する無線ＩＦ（インターフェース）通信部である。２１０ａ、２１０ｂはディスプレイ装置から通信されたＥＤＩＤ情報を記憶するＥＤＩＤ情報記憶部である。
【０１３３】
２１１ａ、２１１ｂは画像制御部であり、セットトップボックス２１５から受信したディスプレイ装置２３５のＥＤＩＤ情報を受けてグラフィック描画部２０６ａ、２０６ｂを制御する。２１２ａ、２１２ｂは画像属性作成部であり、送信画像の画像属性情報を作成する。画像属性情報とは、画像の解像度、画像の大きさ、使用文字フォントの大きさ、画面の更新周期、階調数、色、アスペクト比、伝送方式、圧縮方式、圧縮率、書き換え周期などである。
【０１３４】
画像制御部２１１ａ、２１１ｂおよび画像属性作成部２１２ａ、２１２ｂはＣＰＵ２０２ａ、２０２ｂ内部処理によって実現される機能を表す。
【０１３５】
セットトップボックス（ＳＴＢ）２１５において、２１９はユーザが入力操作を行うユーザ操作部である。２１８はこのＳＴＢ２１５を制御するマイコン（ＣＰＵ）部である。３２５はこのマイコン部２１８からの制御バスおよびデータバスからなる配線群である。２１６ａはＩＥＥＥ１３９４通信部である。２１６ｂは無線ＩＦによる無線通信部である。
【０１３６】
３２１、３２２は受信した画像信号のデータバスである。２１７ａはＩＥＥＥ１３９４通信により入力した圧縮画像をデコードし、画像合成のための演算に使用可能なＲＧＢ２４ビットなどの信号に変換するデコーダである。２１７ｂは無線通信により入力した圧縮画像をデコードし、画像合成のための演算に使用可能なＲＧＢ２４ビットなどの信号に変換するデコーダである。３２３、３２４はデコードされた画像信号のデータバスである。
【０１３７】
２２０はこれらの複数のデコーダからの出力を合成する画像合成部である。２２１は画像合成に使用される画像メモリである。３２６は画像メモリ３２１用の制御バスおよびデータバスからなる配線群である。２２２は合成した画像信号を画像表示部に用いられる液晶やＣＲＴなどの特性に合わせて、ガンマ特性や色特性などを変換したり、オンスクリーンディスプレイなどの文字表示を行う画像表示用処理部である。
【０１３８】
３２３は液晶、ＣＲＴ、ＰＤＰ、ＥＬ、ＬＥＤなどの素子で構成される画像表示装置に信号を出力するためのＶＧＡ規格やＤＶＩ規格などの画像送信部である。３２７および３２８は画像信号のデータバスである。
【０１３９】
２２４はディスプレイ装置２３５との間で画像表示装置２３５の表示属性としてのＥＤＩＤ情報を通信するＤＤＣ通信部である。２２８はＥＤＩＤ情報を格納するＥＤＩＤ情報格納部である。３３１はＤＤＣ通信部２２４からＥＤＩＤ情報格納部２２８へのＥＤＩＤ情報の流れを示す。２２５はデコーダ２１７ａ、２１７ｂで検出された各入力画像信号に付随した識別信号を取得する入力信号識別信号取得部である。２２６はデコーダ２１７ａ、２１７ｂで検出した各入力画像信号に付随した属性信号を取得する入力信号属性取得部、あるいはデコーダ２１７ａ、２１７ｂにより得られた画像情報から演算により属性信号を抽出する入力信号属性取得部である。
【０１４０】
２３０は入力信号の属性情報を入力信号の識別信号に対して記憶する入力信号属性記憶部である。２２９は表示領域設定記憶部である。２２７は表示領域設定情報、入力信号の識別信号、入力信号属性情報および画像表示属性であるＥＤＩＤ情報を基に、メモリ制御部において入力画像信号を表示するのに適当な表示信号に変換する画像変換情報作成部である。２３１は画像変換情報を入力信号の識別信号に対して記憶する画像変換情報記憶部である。入力信号識別信号取得部２２５、入力信号属性取得部２２６、画像変換情報作成部２２７はマイコン部２１８の内部処理によって実現される機能を表す。
【０１４１】
３２９、３３０はデコーダ２１７ａ、２１７ｂで受信し、デコードした入力信号の流れを示す。３３２は検出した入力識別信号の流れを示す。３３３は検出したあるいは抽出した入力属性信号の流れを示す。３３６は入力信号属性記憶部２３０から画像変換情報作成部２２７への入力属性情報の流れを示す。３３５は表示領域設定記憶部２２９から画像変換情報作成部２２７への表示領域設定情報の流れを示す。３３４はＥＤＩＤ情報格納部２２８から画像変換情報作成部２１８へのＥＤＩＤ情報の流れを示す。３３７は画像変換情報作成部２２７および画像変換情報記憶部２３１間の画像変換情報の双方向の流れを示す。
【０１４２】
ディスプレイ装置２３５において、２３６はこのディスプレイ装置２３５を制御するマイコン部である。４２１はマイコン部２３６からの制御バスおよびデータバスからなる配線群である。２３８はＳＴＢ２１５から伝送されたＶＧＡ規格やＤＶＩ規格などの画像信号を受信し、ＲＧＢ各色８ビットなどの信号処理に適したフォーマットに変換する画像受信部である。
【０１４３】
２３９は受信した画像の画素数をディスプレイ装置２１５の表示画素数に合わせるための解像度変換や画面更新周波数の変換を行う解像度変換部である。２３３は解像度変換部２３９の処理に用いられる画像メモリである。４２２は画像メモリ２３３の制御バスおよびデータバスからなる配線群である。
【０１４４】
２４０は画像表示部２４１に用いられる液晶やＣＲＴなどの特性に合わせて、ガンマ特性や色特性などを変換したり、オンスクリーンディスプレイなどの文字表示を行う画像表示用処理部である。２４１は液晶、ＣＲＴ、ＰＤＰ、ＥＬ、ＬＥＤなどの素子で構成される画像表示部である。４２３、４２４、４２５は画像信号のデータバスである。２３７はＥＤＩＤ情報を通信するＤＤＣ通信部である。
【０１４５】
また、２４５は各機器間に接続されるＩＥＥＥ１３９４の通信線である。２４６はワイヤレス１３９４やＢｌｕｅｔｏｏｔｈなどの無線ＩＦ通信の通信線である。これらの各通信線上では、同じ伝送プロトコルに則った画像信号の通信が行われる。また、２４７は従来からのアナログＲＧＢ信号やＴＭＤＳ信号などで伝送される画像信号の配線である。２４８は従来からのＤＤＣ通信の通信線である。２４７と２４８は、実際には、ＶＧＡ規格やＤＶＩ規格などの同一の画像ケーブルにより伝送される場合が多い。
【０１４６】
本実施形態では、ディスプレイ装置２３５そのものは従来と同様の表示装置であるが、セットトップボックス（ＳＴＢ）２１５は画像変換情報の自動作成を行うことによりＳＴＢ２１５で合成済の画像を表示する。このため、ＳＴＢ２１５は、ディスプレイ装置２３５との間でＤＤＣ通信により得られたＥＤＩＤ情報を参照し、画像表示装置２３５の表示属性を取得するとともに、入力信号の識別信号およびその入力属性情報を取得し、これらに対応する表示領域設定情報を読み出すことにより、画像変換情報を自動作成する。この自動作成された画像変換情報にしたがって画像合成部２２０を制御することにより、複数の画像を１つの出力画像に合成して画像送信部２２３から送信する。
【０１４７】
図２４は図１８および図２１に示された表示装置上の多画面画像を実現するための入力信号毎の入力識別信号、入力属性情報、表示領域設定、表示部属性および画像変換情報の各情報を示すテーブルである。
【０１４８】
入力信号は、前述したように、ＰＣ１およびＰＣ２からなる２台のＰＣ、ＨＤＴＶ用のチューナ、携帯機器としてのＰＤＡ、および携帯電話からの画像信号である。入力信号の識別信号は、ＰＣ１、ＰＤＡ、携帯電話においては各機器に与えられた通信アドレスであり、ＰＣ２においてはＰＣ２から出力される信号自体に与えられた識別番号（ＩＤ）である。また、チューナについては、チューナの出力チャンネルに通信アドレスが与えられており、チューナ本体とチャンネルまで識別可能である。
【０１４９】
識別信号は、信号源、そのチャンネル、あるいは信号自体に与えられた識別番号や通信アドレスの他に、ＨＤＴＶ（１９２０ｘ１０８０）およびＳＤＴＶ（７２０ｘ４８０）のように、出力モード毎に識別番号（ＩＤ）、通信アドレスを割り振ったり、ウインドウなどの画面の一部の領域毎に識別番号（ＩＤ）、通信アドレスを割り振ることが考えられる。また、使用者に与えられた識別番号や通信アドレスなど、信号の発信元を特定できるものであればよく、特に限定されない。
【０１５０】
入力属性としては、各信号に対応した画像フォーマットや伝送フォーマットの他、解像度などが取得される。ここでは、ＰＣフォーマット、ＴＶフォーマット、携帯機器フォーマットが表示チャンネル１、３を分類する情報として利用される。
【０１５１】
表示領域設定は、ＰＣフォーマットに対しては表示チャンネル１に分類し、このうち、ＰＣ１の識別信号に対してウインドウ１に配置される。他のＰＣに対しては、直接、入力識別信号に対して表示ウインドウを設定せず、新規の入力に対しても、柔軟に画像変換情報の自動作成を可能とする。例えば、ＰＣ１の識別信号以外のＰＣフォーマットの信号に対しては、表示チャンネル１のウインドウ２を指定する。
【０１５２】
また、ＴＶフォーマットに対しては表示チャンネル１に分類し、チューナ本体のアドレスに対しては表示ウインドウ３および４を指定する。チューナの各チャンネルの表示はこのウインドウ３、４に順次割り当られる設定となっている。
【０１５３】
さらに、携帯機器のフォーマットに対しては表示領域を表示チャンネル３に指定し、接続順にウインドウを割り当てる設定となっている。
【０１５４】
このように、新規の信号源の接続や従来の機器からの信号の入力属性の変化があった場合、これらの表示領域設定にしたがって、画像変換情報が自動作成される。
【０１５５】
表示部属性は、表示部によって決まるので、画像信号源によらない。表示部属性としては、解像度、画面サイズ以外にも、表示部の画面更新周波数、色特性、階調特性（ガンマ特性）、アスペクト比などがある。
【０１５６】
上記各情報にしたがって、実行される画像変換は、以下のようになる。ＰＣ１は、ＰＣフォーマットで表示領域１に分類され、ＰＣ１の識別信号によってウインドウ１に配置される。ＰＣ２は、ＰＣ１の識別信号以外の信号であるので、表示チャンネル１のウインドウ２に表示される。
【０１５７】
また、チューナはＴＶフォーマットであるので、表示チャンネル１に分類され、チューナ本体のアドレスを基に表示ウインドウ３および４が指定される。チューナの各チャンネルの表示は、このウインドウ３、４に順次割り当てられるので、現在受信中のチャンネルがウインドウ３に表示される。また、ＰＤＡおよび携帯電話からの画像は、表示チャンネル３に設定され、接続順にしたがってＰＤＡの画像がウインドウ１に配置され、携帯電話の画像がウインドウ２に配置される。
【０１５８】
実際には、各画像変換情報作成部の指示に従い、表示チャンネルや表示ウインドウなどの仮想表示領域上の座標に対応した画像メモリ上のアドレスに格納する。
【０１５９】
このように、異なる通信経路を経由して入力する複数の画像信号源からの画像に対して入力信号の属性を基に、画像変換を自動で行い、１つの画像表示装置上に最適化した多画面表示を行う。
【０１６０】
尚、以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【０１６１】
また、本発明は、前述した実施形態の機能を実現するソフトウェアのプログラムコードを記憶した記録媒体を、システムあるいは装置にプログラムを供給することによって達成される場合にも適用できることはいうまでもない。この場合、記憶媒体から読み出されたプログラムコード自体が本発明の新規な機能を実現することになり、そのプログラムを記憶した記憶媒体は本発明を構成することになる。
【０１６２】
上記実施形態では、図１１、図１２および図１３のフローチャートに示すプログラムコードは、マイコン部３１内の記憶媒体であるＲＯＭに格納されている。プログラムコードを供給する記憶媒体としては、例えばフロッピーディスク、ハードディスク、光ディスク、光磁気ディスク、ＣＤ−ＲＯＭ、ＣＤ−Ｒ、ＤＶＤ、磁気テープ、不揮発性のメモリカードなどを用いることができる。
【０１６３】
【発明の効果】
本発明によれば、多様な入力画像信号に対して入力識別信号および入力信号属性を取得し、対応する予め決められた表示領域設定にしたがって、画面上に映像信号を表示するための画像変換を自動で処理することにより、見やすくかつ用途に応じて表示を分類する、機能的な表示装置を実現できる。
【０１６４】
また、新規の画像入力や同一の信号源からの信号属性の変化に対しても、追従して表示領域の配置を自動で対応することにより、ネットワーク独特の多対１や多対多の接続における新規の画像入力や同一信号源からの信号属性の変化にも柔軟に対応でき、ユーザが扱いやすいネットワーク型の表示装置を実現できる。
【図面の簡単な説明】
【図１】  複数台の画像信号源に接続されたディスプレイ装置の構成を示すブロック図である。
【図２】  画像信号源の構成を示すブロック図である。
【図３】  画像信号源１ａ、１ｂから送信される画像信号の構成を示す図である。
【図４】  画像表示装置３０の表示画面を示す図である。
【図５】  ＰＣ１によって表示されるインターネット画像を示す図である。
【図６】  ＰＣ２によって表示されるインターネット画像を示す図である。
【図７】  デジタルテレビ用のチューナによって表示されるＨＤＴＶ画像を示す図である。
【図８】  エアコンが出力する制御画像を示す図である。
【図９】  給湯器が出力する制御画像を示す図である。
【図１０】  画像表示装置３０の表示画面を示す図である。
【図１１】  画像表示装置３０における信号入力動作処理手順を示すフローチャートである。
【図１２】  ステップＳ６およびＳ１０における表示領域設定確認ルーチンの処理手順を示すフローチャートである。
【図１３】  給湯器の制御画像を入力する処理手順を示すフローチャートである。
【図１４】  メモリ制御部の構成を示す図である。
【図１５】  メモリ部８２の仮想表示領域に対するメモリマップを示す図である。
【図１６】  図４および図１０に示した表示装置上の多画面画像を実現するための各情報、つまり入力信号毎の入力識別信号、入力属性情報、表示領域設定、表示部属性、画像変換情報を示すテーブルである。
【図１７】  第２の実施形態のネットワークの構成図を示す図である。
【図１８】  同じ表示チャンネル１に表示されたＰＣ１、ＰＣ２、ＴＶチューナの画像を示す図である。
【図１９】  携帯機器であるＰＤＡを示す図である。
【図２０】  携帯機器である携帯電話を示す図である。
【図２１】  表示チャンネル３に表示された表示画面を示す図である。
【図２２】  複数台の画像信号源に接続されたセットトップボックスおよびディスプレイ装置の構成を示すブロック図である。
【図２３】  画像信号源の構成を示すブロック図である。
【図２４】  図１８および図２１に示された表示装置上の多画面画像を実現するための入力信号毎の入力識別信号、入力属性情報、表示領域設定、表示部属性および画像変換情報の各情報を示すテーブルである。
【図２５】  従来の一般的なディスプレイ装置としてのパーソナルコンピュータ用のディスプレイ装置の構成を示すブロック図である。図において、８０１は画像信号源としてのＰＣである。
【図２６】  現在策定が進められているＨＡＶｉやＪｉｎｉといった家庭内の機器間の通信規格における各機器間の接続形態を示す図である。
【符号の説明】
１ａ、１ｂ  画像信号源
８ａ、８ｂ  識別信号付加部
３０、２３５  画像表示装置（ディスプレイ装置）
３１  マイコン部
３３  メモリ制御部
３６  画像表示部
４１、２２６  入力信号属性記憶部
４２  画像変換情報記憶部
４４、２２５  入力信号識別信号取得部
４５、２３０  入力信号属性部
４６、２２７  画像変換情報作成部
４７、２２９  表示領域設定記憶部
２１５  セットトップボックス
２２０  画像合成部
【図１】
0004545895.tif 000002
【図２】
0004545895.tif 000003
【図３】
0004545895.tif 000004
【図４】
0004545895.tif 000005
【図５】
0004545895.tif 000006
【図６】
0004545895.tif 000007
【図７】
0004545895.tif 000008
【図８】
0004545895.tif 000009
【図９】
0004545895.tif 000010
【図１０】
0004545895.tif 000011
【図１１】
0004545895.tif 000012
【図１２】
0004545895.tif 000013
【図１３】
0004545895.tif 000014
【図１４】
0004545895.tif 000015
【図１５】
0004545895.tif 000016
【図１６】
0004545895.tif 000017
【図１７】
0004545895.tif 000018
【図１８】
0004545895.tif 000019
【図１９】
0004545895.tif 000020
【図２０】
0004545895.tif 000021
【図２１】
0004545895.tif 000022
【図２２】
0004545895.tif 000023
【図２３】
0004545895.tif 000024
【図２４】
0004545895.tif 000025
【図２５】
0004545895.tif 000026
【図２６】
0004545895.tif 000027